(57)【要約】  コンピュータネットワークにおいて運行されるクロス・ウェブソフトウェアアプリケーションを含むデータ、無料広告ギフト及び物流の共有による的確なマーケティングを行うためのコンピュータネットワークに基づくシステムである。前記アプリケーションは、目標消費者グループに1種又は複数種の無料広告ギフトを配るマーケティングプロジェクトをマーケターが定義及び起動するためのインターフェースを有するマーケティングプラットフォームウェブサイトを支持し、該アプリケーションは、消費者がオンラインで閲覧して購買取引を完成できる複数のB2Cウェブサイトに通信可能に接続される。ある前記B2Cウェブサイトで閲覧している消費者は無料ギフトを引き受けるかと提示され、消費者が積極的に応答する場合、登録及びギフト選択の画面に導かれ、消費者は前記マーケティングウェブサイトが指定した配付ルートを通して彼/彼女のギフトを受け取る。多層の共有メカニズムを通して、該システムはデータ共有、広告共有及び物流共有を整合することにより、広告コスト、ギフト生産及び交付のコストを減少し、消費者特定の的確さを高め、ブランド認知を向上させる結果、環境に対する影響を減少する。【選択図】なし【特許請求の範囲】
【請求項１】
コンピュータネットワークにおいて運行されるクロス・ウェブソフトウェアアプリケーションを含み、前記アプリケーションは、マーケターがマーケティングプロジェクトを定義及び起動するためのインターフェースを有するマーケティングウェブサイトを支持し、該マーケティングプロジェクトは前記マーケターが定義した目標消費者グループに1種又は複数種の無料広告ギフトを配り、前記アプリケーションは、消費者がオンラインで閲覧して購買取引を完成できる複数のB2Cウェブサイトに通信可能に接続され、ある前記B2Cウェブサイトで閲覧している消費者は無料ギフトを引き受けるかと提示され、前記消費者が積極的に応答すると、登録及びギフト選択の画面に導かれ、そして前記消費者は前記マーケティングウェブサイトが指定した配付ルートを通して彼/彼女のギフトを受け取る、データ、ギフト及び物流の共有による的確なマーケティングを行うためのコンピュータネットワークに基づくシステム。
【請求項２】
前記ソフトウェアアプリケーションは、各前記B2Cウェブサイトと前記マーケティングウェブサイトがこれらの間の第1プロトコルによって一部のカスタマ情報を共有できる第1モジュールを含む請求項1に記載のシステム。
【請求項３】
前記第1モジュールによっては、前記マーケティングウェブサイトが、消費者データを保存する一つ又は複数のデータベースにおけるデータを分析し、かつ前記マーケターによって予め設定される複数のパラメータに基づいて選別することを通して、一つの消費者グループを定義することができる請求項2に記載のシステム。
【請求項４】
前記ソフトウェアアプリケーションは、各前記B2Cウェブサイトと前記マーケティングウェブサイトがこれらの間の第2プロトコルによって物流情報及びサービスを共有することにより、ギフト交付ルートを最適化できる第2モジュールを含む請求項1に記載のシステム。
【請求項５】
前記カスタマが購買した商品は、前記カスタマが選択した又は前記マーケティングウェブサイトが指定した前記無料ギフトとともにパッケージングして交付される請求項4に記載のシステム。
【請求項６】
前記ソフトウェアアプリケーションは、消費者が複数の情報を記入して前記マーケティングウェブサイトに登録することにより、前記マーケティングウェブサイトから取得し得るギフトを受け取ることができる第3モジュールを含む請求項1に記載のシステム。
【請求項７】
前記ソフトウェアアプリケーションは、マーケターが前記マーケティングウェブサイトに登録し、ギフトの具体的な種類及び数を確定し、かつ確定されたギフトを受け取る消費者の種類を指定することができる第4モジュールを含む請求項1に記載のシステム。
【請求項８】
前記無料ギフトは、広告用として指定できる一つ又は複数の表面領域を有する物理的な品物であり、かつ前記第4モジュールによっては、各種のマーケターが前記表面領域においてそれらの広告を投入するために入札を行うことができる請求項7に記載のシステム。
【請求項９】
前記ネットワークにおいて運行されるクロス・ウェブソフトウェアアプリケーションを提供するステップ、
目標消費者グループに1種又は複数種の無料ギフトを配るマーケティングプロジェクトを、マーケターが定義及び起動するのに用いられるインターフェースを提供するステップ、
前記マーケティングウェブサイトを、消費者がオンラインで購買取引を完成できる複数のB2Cウェブサイトに通信可能に接続するステップ、
ある前記B2Cウェブサイトで買い物している消費者に、無料ギフトを引き受けるかと提示するステップ、
消費者が積極的に応答する場合、前記消費者に対して登録及びギフト選択の画面に戻るステップ、及び、
前記マーケティングウェブサイトが指定した交付ルートを通して、選択されたギフトを前記消費者に交付するステップを含む、インターネットに基づくコンピュータネットワークにおけるデータ、ギフト及び物流の共有による的確なマーケティングを行うための方法。
【請求項１０】
各前記B2Cウェブサイトと前記マーケティングウェブサイトがこれらの間の第1プロトコルによって一部のカスタマ情報を共有できる第1モジュールを提供するステップをさらに含む請求項9に記載の方法。
【請求項１１】
前記第1モジュールによっては、前記マーケティングウェブサイトが、消費者データを保存する一つ又は複数のデータベースにおけるデータを分析し、かつ一つ又は複数のパラメータに基づいて選別することを通して、一つの消費者グループを選択できる請求項10に記載の方法。
【請求項１２】
各前記B2Cウェブサイトと前記マーケティングウェブサイトがこれらの間の第2プロトコルによって物流情報及びサービスを共有することにより、ギフト交付ルートを最適化できる第2モジュールを提供するステップをさらに含む請求項9に記載の方法。
【請求項１３】
前記カスタマが購買した商品は、前記カスタマが選択した前記無料ギフトとともにパッケージングして交付される請求項12に記載の方法。
【請求項１４】
消費者が複数の情報を記入して前記マーケティングウェブサイトに登録することにより、複数の選択肢からギフトを選択しかつ前記マーケティングウェブサイトから取得し得る他のギフトを受け取ることができる第3モジュールを提供するステップをさらに含む請求項9に記載の方法。
【請求項１５】
マーケターが前記マーケティングウェブサイトに登録し、ギフトの具体的な種類及び数を確定し、かつ確定されたギフトを受け取る消費者の種類を指定することができる第4モジュールを提供するステップをさらに含む請求項9に記載の方法。
【請求項１６】
前記無料ギフトは、広告用として指定できる一つ又は複数の表面領域を有する物理的な品物であり、かつ前記第4モジュールによっては、各種のマーケターが前記表面領域においてそれらの広告を投入するために入札を行うことができる請求項15に記載の方法。
【発明の詳細な説明】
【技術分野】
【０００１】
本発明は2015年7月11日に提出された出願番号がNo.62/191,333、発明の名称が「method for providing advertising gifts through business-to-consumer websites」である米国特許出願の優先権を有し、その全ての内容は本発明に引用して組み込まれている。
【０００２】
本発明は基本的にはインターネットに基づく電子商取引マーケティング用ネットワークに関し、具体的にはB2Cウェブサイトとのビッグデータの共有及び物流の共有に基づき、かつ広告ギフト又は製品サンプルを目標カスタマグループに配ることによって的確なマーケティングを行うようなシステム及び方法に関するので、多層でオブジェクトツーオブジェクト（object-to-object）のシェアリングコノミーマーケティングモデルを構築し、潜在カスタマから実在カスタマへの転化率を高めた。
【背景技術】
【０００３】
雑誌、新聞及び屋外広告物などの伝統的なメデイアが広告市場での比率は小さくなっていく。伝統的なマーケティングメディアの投入は高い一方、産出は低い。インターネットマーケティングは、過去十年間で迅速に増えてきたが、その転化率はさほど見込みがない。例えばGoogleの的確なマーケティングの転化率は約5%である。
【０００４】
電子商取引は日々もてはやされる業務展開法であり、通常、例えば商品の閲覧、複数の商品の価格、色、メンテナンスや類似する製品の特徴との比較、商品細部のチェック、一つ又は複数の商品の購買などの行動を含むが、この限りではない。インターネットなどの電子ネットワークを介してその製品及びサービスを提供するベンダーが多くなり、そしてコンピュータユーザは既に電子商取引を合法的なショッピング環境と見なしている。
【０００５】
ベンダー及びコンピュータユーザの両方はともに、さまざまな形を通して電子商取引から利益を得ている。例えば、ユーザはベンダーの現場へ行って指定商品を購買しなくても済む。逆に、ユーザはほしい商品を在宅で便利に買える。また、ユーザは多くのベンダーによるさまざまな類似製品及び価格を迅速に比較することにより、購買時に、スマートな選択を下すことができるので、比較購買のために昼間を全て費やさなくてもよい。ベンダーは、その近所に住んでいるカスタマよりも大きなカスタマ群に接触できるというメリットを受けている。
【０００６】
B2Cマーケティングとは、消費者の間で製品及びサービスを推薦するのに用いられる策略及び最適な実践を指す。多くのマーケティング形式と同じように、その技術はB2Cマーケターがこれらのマーケティング活動で使用するルート数を非常に大きく拡大した。電子商取引時代では、インターネットはただ単にブランド品を売り込むのではなく、潜在カスタマを教育し、かつ需要を生成することを目的とする関連する内容及び情報を伝播するための重要な媒介を提供している。ブランドの内容は日々消費者ショッピング過程の一部となっていく。報道によると、1/4以上の消費者はショッピングする前に、ビジネスウェブサイトから関連する情報を取得する。
【０００７】
現在、全世界のB2C電子商取引は非常に成熟しており、大きなカスタマ群を有する。これは、本発明に確固たる基礎を与え、つまりB2Cウェブサイトを介して広告ギフトを提供することである。eMarketerウェブサイトによると、2013年B2C電子商取引の総売上高は、12000億ドルであり、2012に比べて17%増加した。また、10.3億の方がB2C電子商取引を通して業務を展開し、現在アメリカでは、ネットショッピングの人数が1.56億もある。下表には、全世界B2C電子商取引の売上状況が示されている。
【０００８】
今まで、B2Cウェブサイトは、商品の販売及び広告によって利潤をあげてきた。配給ルートは全てカスタマが注文した商品に用いられていた。例えば広告ギフトの配布など他の利潤をあげるためにこれらの配給ルートを利用するB2C会社は一社もなかった。これは、ある種の浪費と言えるかもしれない。
【０００９】
アメリカの販促品協会が公表したアメリカ販促品業界の年間売上分析によると、2013年の総売上高は205億ドルであり、2012年に比べて5.3%を増加し、かつ予測では2014年の売上が引続き伸びる傾向にある。広告ギフトを提供する伝統的な方法の一つは、ランダムに街での通行人に広告ギフトをあげるか又は郵便でこれらの広告ギフトを送付することである。
【００１０】
選別不足かつ目標消費者に特別に注意できないので、このような伝統的な戦略は不利である。興味のない広告ギフトをもらった際に、人々は通常すぐにこれらの広告ギフトを捨ててしまう。これは、ギフト提供者に浪費をもたらすので、効果的なマーケティング手段とは認められない。
【００１１】
Wordstreamによると、2012年第3シーズンのGoogle検索の平均転化率は5.63%であるが、Googleディスプレイネットワークの平均転化率は4.68%である。カスタマの広告コストを如何に低減するか？最終消費者を如何に的確に特定するか？最後には、転化率を如何に高めるか？マーケティング効果を如何に高めるか？
【００１２】
研究によれば、無料サンプルによる転化率は33%にもある。消費者が見えてかつ長時間に保存できる無料ギフトはより強いブランド認識を得られる。しかし、効果的な無料ギフトからすれば、主な挑戦は、正確なカスタマを認識し、かつタイムリーで割が合う方法でサンプルを生産して交付することである。カスタマ資料及び取引情報に基づき、ビッグデータは正確なカスタマを特定できる結果、転化率を高めてサンプル生産の不確定性を減少できる。2013年のビッグデータ実行調査によると、77%の調査対象は販売及びマーケティングを、ビッグデータ投資を促進する業務機能として認めている。
【００１３】
同時に、会社同士で物流サービスを共有することは、保存、包装及びサンプル交付のコストを低減できる。しかし、無料ギフト/サンプルの生産及び交付は非常に高くかつ間違ったカスタマを狙った可能性がある。無料ギフト/サンプルが広告を共有することは、会社単体の広告コストを低減できる。
【００１４】
B2Cウェブサイトのビッグデータの共有及び物流の共有に基づき、かつビッグデータ分析及び人工知能を用いて選択した目標カスタマグループにギフト又は製品サンプルを配ることにより、的確なマーケティングを行うためのシステム及び方法が望まれる。
【発明の開示】
【００１５】
本発明は、B2Cウェブサイトを通して広告ギフト又は製品サンプルを配ることによって、ギフトに興味を有する消費者をより的確に特定するためのシステム及び方法を提供することを一つの目的とする。
【００１６】
本発明は、広告ギフトを配り、既存のB2C配給ルートを利用して利潤をあげることをもう一つの目的とする。
【００１７】
本発明は、B2Cウェブサイトを通して広告ギフトを配ることによって、広告、人力、配達などのコストを含むマーケティングコストを低減する方法を提供することをもう一つの目的とする。
【００１８】
本発明は、異なる各種の無料広告ギフトを消費者に提供し続けることで、消費者が該B2Cウェブサイトにおいて継続的に買い物する動機を強化する可能性がある結果、B2Cウェブサイトの売上高をさらに上げることをもう一つの目的とする。
【００１９】
本発明は、B2Cウェブサイトを通して広告ギフト又は製品サンプルを配ることによって、ネットショッピングを促進してかつ広告ギフトに関する売上高をさらに上げる方法を提供することをもう一つの目的とする。
【００２０】
もう一つの目的は、B2Cウェブサイトが広告ギフトの種類及び数を確定し、かつギフト製造メーカーを誘って広告ギフトを製造することによって、企業、特に中規模会社の参与度を向上させることである。
【００２１】
もう一つの目的は、システムがビッグデータ、広告ギフトの共有及び物流の共有を整合することにより、広告費用を減少し、ギフト生産及び配給コストを減少し、消費者特定の的確さを高め、ブランド認知を高め、さらに環境に対する影響を減少することである。
【００２２】
本発明は、カスタマデータ、広告ギフト及びB2Cウェブサイト物流の共有による的確なマーケティングに用いられるインターネットに基づくシステム及び方法を提供する。
【００２３】
前記システムは、コンピュータネットワークにおいて運行されるクロス・ウェブソフトウェアアプリケーションを含む。前記アプリケーションは、目標消費者グループに1種又は複数種の無料広告ギフトを交付するマーケティングプロジェクトを定義及び起動するためのインターフェースを有するマーケティングプラットフォームウェブサイトを支持する。該インターフェースには、一般消費者が登録して無料ギフトを受け取ることもできる。前記アプリケーションは、大量のB2Cウェブサイトに通信可能に接続されることによって、これらの消費者がオンラインで購買取引を完成できる。  
【００２４】
B2Cウェブサイトで閲覧又は買い物している消費者はいずれも、無料ギフトを引き受けるかと提示される。消費者が積極的に応答する場合、登録及びギフト選択するための画面に導かれるか又はウィンドウがポップアップされる。消費者はマーケティングウェブサイトが指定した配達ルートを通して彼/彼女のギフトを受け取る。彼/彼女は、マーケティングウェブサイトからほかのギフトを受け取ることもできるが、それは彼/彼女の情報がデータベースに保存され、一人又は複数のマーケターがマーケティングウェブサイトを通して該データベースから一組の目標カスタマを選択できるためである。
【００２５】
本発明は、複数層の共有効果を有する。一方、一つの小企業は通常、数百個のギフトを配る必要がある。数百個の物流を手配をしなければならないので、B2Cウェブサイトはこのような仕事を引き受けたがらない。しかし、本発明のシステムでは、異なる企業をバンドルして広告ギフトをオーダーし、ギフトをB2C配達センターに交付し、かつ共有された物流によって無料広告ギフトを配る。他方、各企業は通常、自分の広告ギフトをオーダーするが、本発明のシステムでは、少なくとも二つの企業が一つ又は複数のギフトを共有できる。例えば、1個のティッシュ箱のような一つのギフトには一つ又は複数のlogoを印刷できる。もう一つ方面では、小企業は通常、大きなB2C企業とビッグデータを共有する資格がない。しかし、本発明のシステムでは、各企業がビッグデータを共有できるので、カスタマ特定の的確さを高めた。
【図面の簡単な説明】
【００２６】
【図１】図1は、本発明がB2Cウェブサイトを通して広告ギフトを提供するステップのフローチャートである。
【図２】図2は、本発明の一つの実施例のフローチャートである。
【図３】図3は、本発明のもう一つの実施例のフローチャートである。
【００２７】
実施の形態
以下の説明には、本発明を十分に理解するための具体的な内容が記載されている。しかし、本発明はここの説明と異なる方式によって実施でき、当業者は本発明の精神を反しない場合に類似する展開を行うことができるので、本発明は、記載されている以下の具体的な実施の制限を受けることがない。
【００２８】
本発明は、マーケティングプラットフォームウェブサイトにおいて大量のB2Cウェブサイトとの間でカスタマデータを共有し、二人又は複数のマーケターが広告ギフト及びB2Cウェブサイトの物流を共有することによって的確なマーケティングを行うことに用いられるインターネットに基づくシステム及び方法を提供する。前記システムは、コンピュータネットワークにおいて運行されるクロス・ウェブソフトウェアアプリケーションを含む。前記ソフトウェアアプリケーションは、ビッグデータに基づく分析及び人工知能を用いて選択した目標消費者グループに1種又は複数種の無料ギフトを配るマーケティングプロジェクトを定義及び起動するための異なるマーケターが使用するインターフェースを有する前記マーケティングプラットフォームウェブサイトを支持する。前記ソフトウェアアプリケーションは、異なる機構を実現する複数のモジュールを有する。これが複数のB2Cウェブサイトに通信可能に接続されることにより、消費者はオンラインで閲覧して購買取引を完成できる。
【００２９】
前記システムの代表的な操作では、あるB2Cウェブサイトで閲覧又は買い物している消費者は、無料ギフトを引き受けるかと提示される。提示方式としては、ウィンドウをポップアップすること、バブルをポップアップすること、又は短い音声通知を有するリンクをポップアップすることがあげられる。消費者が積極的に応答する場合、登録及びギフトを選択するための画面に導かれる。提示過程は異なる方式によって実現できる。例えば、消費者が発注する前、消費者が会計する前、又は消費者がB2Cウェブサイトで閲覧する如何なる時間で実現できる。選択したら、消費者は、マーケティングウェブサイトが指定した配達ルートを通して彼/彼女が選択したギフトを受け取る。配達ルートはB2Cウェブサイトの物流でも、販売者の物流又はマーケティングプラットフォームウェブサイトが指定した第3者の物流でもよい。それは、登録後、消費者の特徴情報は、マーケティングプラットフォームウェブサイトに関連するデータベースに保存されるので、将来、彼/彼女は一つ又はそれ以上の消費者種類から選択され、かつマーケティングプラットフォームウェブサイトから無料広告ギフトを受け取ることができる。
【００３０】
前記ソフトウェアアプリケーションは、各B2Cウェブサイトとマーケティングプラットフォームウェブサイトとの間のプロトコルによって、B2Cウェブサイトとマーケティングプラットフォームウェブサイトが一部のカスタマ情報を共有できるモジュールを含む。前記プロトコルは、情報共有の範囲及び制限条件を規定している。カスタマ情報を保存する一つ又は複数のデータベースにおけるデータを分析し、かつ一つ又は複数のパラメータ（例えば、性別、年齢、好み、収入レベル、教育程度、地理位置情報など）に基づいて選別することにより、前記モジュールはマーケティングプラットフォームウェブサイトに一つの消費者グループを選択させることができる。一人のマーケターがマーケティングプロジェクトを設定かつ起動する必要がある場合、登録してかつ自分の基準、例えば、性別、年齢、好み、収入レベル、教育程度、都市などに基づいてギフト及び目標カスタマグループを特定することができる。
【００３１】
前記ソフトウェアアプリケーションは、各B2Cウェブサイトとマーケティングプラットフォームウェブサイトとの間のプロトコルによって各B2Cウェブサイトとマーケティングプラットフォームウェブサイトが物流情報及びサービスを共有することにより、ギフト配付ルートを最適化できるモジュールをさらに含む。前記プロトコルは、物流共有及び協力の範囲及び制限条件を規定している。物流情報を保存する一つ又は複数のデータベースにおけるデータを分析し、かつ一つ又は複数のパラメータ（例えば、時間及びコストなど）に基づいて選別することにより、前記モジュールはマーケティングプラットフォームウェブサイトに最適な配付ルートを選択させることができる。代表的な実現形態では、カスタマが購買した商品はカスタマが選択した無料ギフトとともにパッケージングされてカスタマに交付される。言い換えれば、カスタマが彼/彼女の受け取った小包を開いた時、彼/彼女が購買した商品及び選択した無料ギフトが見える。他の場合、例えば、登録カスタマが予想外のギフトを受け取る可能性がある。それは、彼/彼女の名前がデータベースにあるので、彼/彼女が目標消費者グループの一員として選択される可能性があるためである。言い換えれば、カスタマが彼/彼女が受け取った小包を開いた時、彼/彼女が購買した商品と予想外の無料ギフトが見える可能性がある。
【００３２】
前記ソフトウェアアプリケーションは、如何なる人でもマーケティングプラットフォームウェブサイトに登録して複数の選択肢からギフトを選択でき、かつマーケティングプラットフォームウェブサイトから予想外のギフトを受け取ることに同意できるモジュールをさらに含む。登録訪問者の情報はマーケティングプラットフォームウェブサイトに関連するデータベースに保存される。彼/彼女は、目標消費者グループの一員として時々選択され、かつ予想外の無料ギフトを時々受け取る可能性がある。
【００３３】
前記ソフトウェアアプリケーションは、マーケター又は販売者がマーケティングプラットフォームウェブサイトに登録し、ギフトの具体的な種類及び数を確定し、確定されたギフトの消費者の種類を指定することができるモジュールをさらに含む。マーケティングプラットフォームウェブサイトは、厳選された各種のギフトデザインを提供する。マーケター又は販売者は、自分の広告デザイン及び/又はギフトデザインをアップロードする可能性さえある。マーケターがギフトをオーダーメイドする必要がある場合、マーケティングプラットフォームウェブサイトは多種のサービスを提供してこれらの需要を満たす。
【００３４】
前記システムを通して配られる無料ギフトは通常、物理的な品物であり、例えば、広告用として指定できる一つ又は複数の表面領域を有する1個のテッシュ箱が挙げられる。マーケティングプラットフォームウェブサイトは、全てのマーケター又は販売者が入札するためのインターフェースを有することもできる。前記ソフトウェアアプリケーションによっては、マーケター又は販売者がマーケティングプラットフォームウェブサイトの規定した入札ルール及び政策に従って、区切られた表面領域においてこれらの広告を投入するために入札を行うことができる。例えば、1個のティッシュ箱は少なくとも5つの広告設置用側面（天面、正面及び裏面、左側面及び右側面）を有する。前記5つの面は一人のマーケターに使用されるか又は二人又は複数のマーケターが共有することができる。
【００３５】
本発明は、さらにデータ、ギフト及び物流の共有による的確なマーケティングを行うためのコンピュータネットワークに基づく方法によって実現される。該方法は、
・  ネットワークにおいて運行され、かつ前記マーケターがマーケティングプロジェクトを便利に起動できるマーケティングプラットフォームウェブサイトを支持するクロス・ウェブソフトウェアアプリケーションを提供するステップ、
・  マーケターが目標消費者グループに1種又は複数種の無料ギフトを配るマーケティングプロジェクトを定義及び起動するのに用いられるインターフェースを提供するステップ、
・  マーケティングウェブサイトを、消費者がオンラインで購買取引を完成できる複数のB2Cウェブサイトに通信可能に接続するステップ、
・  あるB2Cウェブサイトで買い物している消費者に、無料ギフトを引き受けるかと提示するステップ、
・  消費者が積極的に応答する場合、登録及びギフト選択の画面に戻るか又はウィンドウをポップアップするステップ、及び
・  前記マーケティングウェブサイトが指定した交付ルートを通して、選択されたギフトを前記消費者に交付するステップ、を含む。
【００３６】
一つ代表的な実施例では、マーケティングプラットフォームネットワークがB2Cウェブサイトからギフト申請情報を受け取った場合、B2Cウェブサイトに予定数のギフトを提供する。ある条件を受け取った場合、B2Cウェブサイトは、マーケターが提供するギフトに興味を持ち得る消費者を選択する。一人の消費者がB2Cウェブサイトで買い物する際に、B2Cウェブサイトは消費者（例えば、ギフト受取人）にマーケターが提供する一つ又は複数のギフトを提供する。次に、B2Cウェブサイトはギフト受取人が選択したギフト及びギフト受取人が購買した商品を一緒に配送する。
【００３７】
一つの実施例では、予定条件は、ギフトの寸法/重量、ギフトを配送する目標領域、ギフトを受け取る方の目標年齢、ギフト受取人の好み／収入レベル、性別、肩書き、ギフト受取人の購買履歴などB2Cウェブサイトからの「ビッグデータ」と呼ばれるものを含む可能性があるが、この限りではない。言い換えれば、本発明では、B2Cウェブサイトのビッグデータを利用して潜在ギフト受取人をより的確に特定することにより、広告ギフトを効果的に配り、かつマーケティング資源の浪費を防止する。もう一つの実施例では、B2Cウェブサイトは、Amazon、eBay、COSTCO、Groupon、Walmartなどを含むことができるが、この限りではない。ビッグデータは、発展し続ける用語であり、構造化、半構造化、非構造化で情報を発掘する潜力を有する大量のデータを指すことである。ビッグデータは如何なる具体的な数量にも触れていないが、ペタバイトやエクサバイトに触れる際にはよく該用語が使用される。ビッグデータは、組織内部人員が共に仕事するスタイルを変更しつつあり、かつ企業及びITリーダーが全てデータの価値を実現するために共に努力しなければならないという文化を創造した。
【００３８】
本発明では、マーケティング策略を利用してより多くの企業に参与させるため、B2Cウェブサイトは他の企業実体を誘って少なくとも一部の広告ギフトを製造させることができる。したがって、B2Cウェブサイトは、ギフト寸法/重量、ギフトを配送する目標領域、ギフトを受け取る方の目標年齢、ギフト受取人の好み/収入、性別、肩書き、ギフト受取人の購買履歴などを含める予定条件に基づいて広告ギフトをオーダーメイドすることができる。上述のように、ギフト製造メーカーが需要を目にしたら、少なくとも一部のギフトの製造に参与することができる。より具体的に言えば、B2Cウェブサイトは、マーケターから広告ギフトをもらうのではなく、B2Cウェブサイトが持つ「ビッグデータ」を利用して一つ又は複数のギフト製造メーカーを誘ってギフトを製造することができる。それは、B2Cウェブサイトが前記予定条件に基づいて広告ギフトをオーダーメイドするステップ、一つ又は複数のギフト製造メーカーを誘って広告ギフトを製造するステップ、かつ各ギフト製造メーカーが少なくとも一部の推薦ギフトを選択して製造するステップを含むことができる。
【００３９】
本発明の目的、特徴及び効果を理解するために、実施例を記載する。一方、図1に示すように、B2Cウェブサイトを通して広告ギフトを提供するコンピューター実行方法は、マーケターがB2Cウェブサイトを選択し（ステップ110）、マーケターがB2Cウェブサイトに、マーケターが提供するギフトに興味を持ち得るギフト受取人グループの選択に用いられる予定条件を提供し（ステップ120）、マーケターがB2Cウェブサイトに予定数のギフトを提供し（ステップ130）、ステップ120の予定条件を受け取った場合、B2Cウェブサイトは予定条件及びB2Cウェブサイトデータベースにおける既知のカスタマデータを分析し、かつマーケターが提供するギフトに興味を持ち得るギフト受取人を選別し（ステップ140）、あるギフト受取人がB2Cウェブサイトで買い物している際に、B2Cウェブサイトはマーケターが提供する一つ又は複数のギフトを提供し（ステップ150）、 B2Cウェブサイトはギフト受取人が選択したギフト及びその人が購買した商品をともに配送する（ステップ160）というステップを含む。
【００４０】
一つの代表的な実施例では、ステップ120での予定条件は、ギフトの寸法/重量、ギフトを配送する目標領域、ギフトを受け取る方の目標年齢、ギフト受取人の好み、収入レベル、性別、肩書き、ギフト受取人の購買履歴などB2Cウェブサイトからの「ビッグデータ」と呼ばれるものを含むことができるが、この限りではない。言い換えれば、本発明では、B2Cウェブサイトのビッグデータを利用して潜在ギフト受取人をより的確に特定することにより、広告ギフトを効果的に配り、かつマーケティング資源の浪費を防止する。もう一つの実施例では、B2Cウェブサイトは、Amazon、eBay、COSTCO、Groupon、Walmartなどを含むことができるが、この限りではない。
【００４１】
本発明では、マーケティング戦略を利用してより多くの企業に参与させるために、マーケターは他の企業実体を誘って少なくとも一部の広告ギフトを製造できるので、B2Cウェブサイトのマーケターは、ギフトの寸法/重量、ギフトを配送する目標領域、ギフトを受け取る方の目標年齢、ギフト受取人の好み/収入、性別、肩書き、ギフト受取人の購買履歴などを含む予定条件に基づいて広告ギフトをオーダーメイドできる。上述のように、ギフト製造メーカーが需要を目にしたら、少なくとも一部のギフト製造に参与できる。
【００４２】
より具体的には、B2Cウェブサイトは、マーケターから広告ギフトをもらうのではなく、B2Cウェブサイトが持つ「ビッグデータ」に基づき、一つ又は複数のギフト製造メーカーを誘ってギフトを製造することができる（ステップ130）。以下のステップを含むことができる。すなわち、B2Cウェブサイトは前記予定条件に基づいて広告ギフトをオーダーメイドし（ステップ1301）、一つ又は複数のギフト製造メーカーを誘って広告ギフトを製造し（ステップ1302）、かつ各ギフト製造メーカーは少なくとも一部の推薦ギフトを選択して製造し（ステップ1303）、図2に示されている。B2Cウェブサイトはさらに、ギフト製造メーカーが申し込んで特定部分のギフトの製造に参加するためのプラットフォームを含む。
【００４３】
もう一つの実施例では、ギフト受取人は予定額の金を費やして取次販売店の商品を買わなければならない可能性がある。図3に示すように、マーケターが提供するギフトに興味を持ち得るギフト受取人を選択するステップ140は、ギフト受取人が既に予定額の金を費やしてマーケターの商品を購買したかを確定し（ステップ1401）、ギフト受取人が予定額の金を消費していない場合、より多くの商品を購買することで予定金額を達成するか又は広告ギフトをなくすと潜在ギフト受取人に推薦する（ステップ1402）というステップを含むことができる。
【００４４】
伝統的なB2Cマーケティング戦略に比べて、B2Cウェブサイトには既存のカスタマデータがあるので、それをさらに選別することによって特定種類のギフトに興味を持ち得るグループを選択できるので、本発明が提供する方法は有利である。選択されたグループの方々がギフトを受け取る場合、これらのギフトを捨てることなく使用又は保存することができる。また、彼らがギフトに関連する製品をさらに買う場合、B2Cウェブサイト及びギフト提供者は同時に利益を受けることになる。
【００４５】
また、ギフトに興味のある選ばれたグループにギフトを配ることは資源の浪費を防止できる。伝統的なB2Cマーケティング戦略のように前記ギフトをランダムに配ると、ギフトに興味のない方はこれらのギフトを捨ててしまう。これは資源の浪費だけではなく、マーケターのコストも増やした。また、一つのギフトが人々の間で流行れば、このギフトは販売可能な商品に転化できる。これはギフトを提供するB2Cウェブサイトにとって有利だけではなく、より多くの人が惹かれてB2Cウェブサイトを訪問する可能性があり、これにより他の潜在販売を増やすことになる。
【００４６】
また、B2Cウェブサイトを利用するビッグデータは、より的確に潜在ギフト受取人を特定することにより、広告ギフトを効果的に配り、マーケティング資源の浪費を防止するので、本発明はメリットがある。これは、ギフト製造メーカーが広告ギフト製造に参与することにも機会を与えるので、B2Cウェブサイトは自体の運営コスト及びリスクを低減できる。
【００４７】
上述のように、本発明では好ましい実施例を記載しているが、それが本発明を制限するためのものではなく、如何なる当業者でも本発明の精神及び範囲を逸らしない限り、可能な変更及び修正を行うことができるので、本発明の保護範囲は本発明の請求項によって決められた範囲を基準とする。
【国際調査報告】
2018521435.tif 000002
2018521435.tif 000003